(57)【要約】【課題】台所流し台の排水口等に設置してぬめりの発生を除去、防止し、薬剤収納部の目詰まり等を防止すると共に、薬剤の溶解速度を大きく変化させることのない排水口用ぬめり取り器を提供する。【解決手段】カートリッジ体２０では、計４つの薬剤収納部２０Ｃが等角度に配置され、薬剤収納部２０Ｃ同士は若干の間隔をおいて配置され、これらの間隙に排水処理機能部２０Ｍが設けられている。排水処理機能部２０Ｍは、上方に設けた排水流入口２０Ｆ、２０Ｆ’と、下方に設けた水受部２０Ｉ及び水落口２０Ｌと、薬剤収納部２０Ｃの側方に設けられ、排水導入口を備えた仕切壁２０Ｄとから構成され、排水流入口２０Ｆ、２０Ｆ’は蓋体１０の流入孔部１０Ｃの下方に位置している。排水流入口２０Ｆ、２０Ｆ’の直下に受皿状の水受部２０Ｉが配置され、水受部２０Ｉの脇部に水落口２０Ｌが形成されている。【選択図】図１
2014206005.tif 000002
【特許請求の範囲】
【請求項１】
中央に設けた中央孔部と周円部に沿って複数の流入孔部とを備えた円形状の蓋体と、微生物の発育を抑制する薬剤を収納する複数の円弧状の薬剤収納部を備えた円環状のカートリッジ体とから成る排水口用ぬめり取り器において、
前記カートリッジ体の薬剤収納部間に排水処理機能部を設け、該排水処理機能部は、上方に設けた排水流入口と、下方に設けた水受部及び水落口と、前記薬剤収納部の両端部に設け排水導入口を備えた仕切壁とから構成され、前記排水流入口は前記流入孔部の下方に位置することを特徴とする排水口用ぬめり取り器。
【請求項２】
前記薬剤収納部を仕切る前記仕切壁は、前記円環状のカートリッジ体の半径方向に沿って設けたことを特徴とする請求項１に記載の排水口用ぬめり取り器。
【請求項３】
前記仕切壁に設けた排水導入口の下部に段部を設けたことを特徴とする請求項１又は２に記載の排水口用ぬめり取り器。
【請求項４】
前記排水流入口の直下に受皿状の前記水受部を配置し、該水受部の脇部に前記水落口を配置したことを特徴とする請求項１〜３の何れか１項に記載の排水口用ぬめり取り器。
【請求項５】
前記薬剤収納部の底面中央に排水流出孔を設けたことを特徴とする請求項１〜４の何れか１項に記載の排水口用ぬめり取り器。
【発明の詳細な説明】
【技術分野】
【０００１】
本発明は、微生物の増殖によりぬめりや悪臭が発生する台所流し台の排水口等に設置し、ぬめりの発生を除去、防止する排水口用ぬめり取り器に関するものである。
【背景技術】
【０００２】
台所等の排水口に配して粘り物質のぬめりや悪臭の発生を薬剤により防止するぬめり取り器が、例えば特許文献１に開示されている。図８に示すように、台所等の排水口の入口部にぬめり取り器の蓋１に取り付けられ、蓋１の複数個所には方形の排水流入口１Ａが設けられている。蓋１の下面には微生物の発育抑制物質を含有する固形薬剤を収納した薬剤収容器２が固定されている。薬剤収容器２の上方又は側面上部にスリット状の排水流入孔２Ａが設けられており、蓋１の排水流入口１Ａの下部に排水流入孔２Ａが重なるようにされている。
【０００３】
台所で食器、食材等を水洗いすると、排水の多くは蓋１の中央の切欠部１Ｂから排水管に流下するが、一部の排水は排水流入孔２Ａから薬剤収容器２内に流入して、固形の薬剤を溶解し、薬剤収容器２に設けた図示しない排水流出孔から流出する。流出した微生物発育抑制物質を含む溶解液は、排水口蓋、排水管壁面等のぬめり発生個所に広がることにより、ぬめりを除去しぬめりの発生を防止する。
【先行技術文献】
【特許文献】
【０００４】
【特許文献１】特開２００１−３１７１０１号公報
【発明の概要】
【発明が解決しようとする課題】
【０００５】
しかし、特許文献１のぬめり取り器では、排水流入孔２Ａがスリット状とされているため、野菜くず等の大きなごみは薬剤収容器内に進入することはないが、例えば野菜に付着した粒子状の土は排水流入孔２Ａに流れ込む。このとき、大半の粒子状の土は排水流出孔から流出するが、水量が十分でない場合等では固形薬剤に土が付着したり、溶解液流出口を土で詰まらせたりするという問題が発生する。特に、十分に排水がされずに時間が経過すると、残った土が乾燥して固まって薬剤にこびり付いたり、薬剤を覆って薬剤の溶解を困難にすることがある。
【０００６】
また、常に水量が多い状態では、排水流入孔２Ａに流れ込む排水も増加し、溶解する薬剤の量も多くなる。湯切り等により、温かい排水を流し込むような場合では、温水がスリット状の排水流入孔２Ａに直接流れ込み、薬剤が溶解し易くなり、溶解する薬剤の量が多くなる。このような場合に、設定している使用可能期間を経過する前に、薬剤が完全に溶解して消減してしまうという問題もある。
【０００７】
また、薬剤を長持ちさせるために、排水流入孔２Ａのスリットを狭くすることも可能であるが、このようにすると、水量が少ない場合では必要とする薬剤の量が溶解しないこともある。
【０００８】
本発明の目的は、上述の課題を解消し、薬剤収納部の目詰まり等を防止し、薬剤の溶解速度を大きく変化させることのない排水口用ぬめり取り器を提供することにある。
【課題を解決するための手段】
【０００９】
上記目的を達成するための本発明に係る排水口用ぬめり取り器は、中央に設けた中央孔部と周円部に沿って複数の流入孔部とを備えた円形状の蓋体と、微生物の発育を抑制する薬剤を収納する複数の円弧状の薬剤収納部を備えた円環状のカートリッジ体とから成り、前記カートリッジ体の薬剤収納部間に排水処理機能部を設け、該排水処理機能部は、上方に設けた排水流入口と、下方に設けた水受部及び水落口と、前記薬剤収納部の両端部に設け排水導入口を備えた仕切壁とから構成され、前記排水流入口は前記流入孔部の下方に位置することを特徴とする
【発明の効果】
【００１０】
本発明に係る排水口用ぬめり取り器によれば、土や微細なごみ等が薬剤収納部に流入し難くなり、排水の水量が十分でない状態であっても、目詰まり等が発生することが少ない。また、溶解する薬剤の量が大きく変化することはなく、薬剤は使用可能期間に渡ってほぼ平均的に溶解する。
【図面の簡単な説明】
【００１１】
【図１】実施例の分解斜視図である。
【図２】裏返した状態の斜視図である。
【図３】カートリッジ体を構成する一部の部品を裏側から見た斜視図である。
【図４】図１のＡ−Ａ’方向から見た斜視図である。
【図５】排水処理機能部内に流れ込む排水の説明図である。
【図６】変形例のＡ−Ａ’方向から見た斜視図である。
【図７】実施例２の分解斜視図である。
【図８】従来のぬめり取り器の斜視図である。
【発明を実施するための形態】
【００１２】
本発明を図１〜図７に図示の実施例に基づいて詳細に説明する。
【実施例】
【００１３】
図１は実施例の排水口用ぬめり取り器の分解斜視図であり、図２は蓋体にカートリッジ体を組合わせて裏返した状態の斜視図である。
【００１４】
このぬめり取り器においては、円形状の蓋体１０と、この蓋体１０の下面に嵌合し、交換可能な環状のカートリッジ体２０とが合成樹脂により形成されており、蓋体１０は不透明体である。カートリッジ体２０は後述する内部の錠剤Ｐが見えるように透明状又は有色透明状とすることが好ましく、錠剤Ｐを使い切る毎に新しいカートリッジ体２０と交換する。
【００１５】
蓋体１０も表面には、中央に半円形に窪んだ凹部１０Ａと、この凹部１０Ａの半円形の端部同士を結ぶ直径部において蓋体１０の表面と凹部１０Ａの間に段差状に形成した中央孔部１０Ｂと、外周円部に沿った複数の流入孔部１０Ｃとが設けられている。また、蓋体１０の裏面には、カートリッジ体２０を嵌合するための環状溝１０Ｄが形成されており、嵌合したカートリッジ体２０を保持するために、環状溝１０Ｄの外周の複数個所に嵌合爪１０Ｅが設けられている。
【００１６】
図３はカートリッジ体２０を構成する一部の部品を裏側から見た斜視図である。カートリッジ体２０は２個の半円環状の本体部２０Ａと、２個の半円環状の底部カバー２０Ｂとから構成されている。このような構成により、同じ形状の本体部２０Ａと底部カバー２０Ｂを２個ずつ製造すればよく、円環状の部位を一体として製造するよりも製造コストが安価となる。
【００１７】
各本体部２０Ａには環状溝である２個の薬剤収納部２０Ｃが設けられており、その両端部には仕切壁２０Ｄが形成され、仕切壁２０Ｄの底部カバー２０Ｂ側には薬剤収納部２０Ｃ内に排水を導入する排水導入口２０Ｅが設けられている。また、排水導入口２０Ｅの近傍の蓋体１０側には排水流入口２０Ｆが設けられているが、本体部２０Ａの両端における排水流入口２０Ｆと中央部の排水流入口２０Ｆ’とは形状が異なっている。つまり、両端の排水流入口２０Ｆは隣り合う本体部２０Ａとの境界部にあるが、中央の排水流入口２０Ｆ’は同じ本体部２０Ａに形成されており連結を保持するために２個所に分割されている。更に、本体部２０Ａには仕切壁２０Ｄに隣接した４個所に底部カバー２０Ｂと嵌合する嵌合用凸部２０Ｇが形成され、更に底部カバー２０Ｂと係合するための係止爪２０Ｈが形成されている。
【００１８】
各底部カバー２０Ｂには、その両端及び中央には受皿状の水受部２０Ｉが設けられている。また、本体部２０Ａの嵌合用凸部２０Ｇに対向して、嵌合用凹部２０Ｊが４個所に形成されている。また、各薬剤収納部２０Ｃの中央底部に相当する個所に排水流出孔２０Ｋが設けられている。
【００１９】
２個の本体部２０Ａを円環状と成るように突き合わせ、薬剤収納部２０Ｃを覆うように２個の底部カバー２０Ｂを９０度ずらして重ね合わせ、嵌合用凸部２０Ｇを嵌合用凹部２０Ｊに嵌合し、係止爪２０Ｈを底部カバー２０Ｂの内側に係止することにより、図１に示すカートリッジ体２０を組立てることができる。
【００２０】
なお、底部カバー２０Ｂを本体部２０Ａに重ねた場合に、底部カバー２０Ｂの端部同士の間に隙間が生ずるようにされ、この隙間は水受部２０Ｉから溢れた排水を下方に落とし込むための水落口２０Ｌとされているが、中央の水受部２０Ｉではその両側の縁部を除いた部分が水落口２０Ｌとされている。
【００２１】
本体部２０Ａの薬剤収納部２０Ｃに錠剤Ｐを１列に配置した状態で、底部カバー２０Ｂを重ね合わせて組み立てられたカートリッジ体２０には、４つの角筒状の薬剤収納部２０Ｃが円弧状に設けられることになる。錠剤Ｐは微生物の発育を抑制するためのクエン酸等を主成分とする薬剤であり、複数の直径１ｃｍ程度の大きさの錠剤Ｐが、図１の点線で示すように収納されている。錠剤Ｐとされた薬剤の成分は、クエン酸を主成分とするもの以外にも、各種公知の殺菌剤、抗菌剤が使用可能であり、一般的な防黴剤又は抗細菌剤として知られている化合物や抗菌作用を有する天然精油類等であれば使用することができる。更に、錠剤Ｐの薬剤の成分にぬめりを除去するために殺菌作用を有する成分を含有するようにしてもよい。
【００２２】
また、薬剤は薬剤収納部２０Ｃに収納する形状であれば、円弧状のブロック型としてもよい。薬剤収納部２０Ｃに収納可能な１個のブロック型の薬剤であれば、錠剤Ｐに比べて大量の薬剤を収納させることが可能となる。
【００２３】
実施例のカートリッジ体２０では、計４つの薬剤収納部２０Ｃが等角度に配置され、薬剤収納部２０Ｃ同士は若干の間隔をおいて配置され、これらの間隙に排水処理機能部２０Ｍが設けられている。この排水処理機能部２０Ｍを構成する排水流入口２０Ｆ、２０Ｆ’が蓋体１０の流入孔部１０Ｃの下方に位置するように、蓋体１０とカートリッジ体２０とが組合わされている。
【００２４】
図４は図１のＡ−Ａ’方向から見た隣合う薬剤収納部２０Ｃ間の排水処理機能部２０Ｍの斜視図である。仕切壁２０Ｄは前述したように円環状のカートリッジ体２０の半径方向に沿って設けられており、各仕切壁２０Ｄの中央下部には排水導入口２０Ｅが設けられている。
【００２５】
排水処理機能部２０Ｍは、上方に設けた排水流入口２０Ｆ、２０Ｆ’と、下方に設けた水受部２０Ｉ及び水落口２０Ｌと、薬剤収納部２０Ｃの側方に設けられ、排水導入口２０Ｅを備えた仕切壁２０Ｄとから構成されている。排水流入口２０Ｆ、２０Ｆ’の直下に受皿状の水受部２０Ｉが配置され、水受部２０Ｉの脇部に水落口２０Ｌが形成されている。
【００２６】
なお、実施例のような半円環状の本体部２０Ａ、底部カバー２０Ｂではなく、円環状の本体部２０Ａ、底部カバー２０Ｂを用いることで、４個の水受部２０Ｉ及び４個の水落口２０Ｌの全てを同一形状としてもよい。
【００２７】
また、薬剤収納部２０Ｃに流入した排水Ｒを排出するための排水流出孔２０Ｋは薬剤収納部２０Ｃの底面中央に位置し、排水流出孔２０Ｋと排水導入口２０Ｅとの孔の大きさは、排水Ｒが所定の時間、薬剤収納部２０Ｃ内に留まるように、適宜に調整されている。
【００２８】
この排水口用ぬめり取り器を台所等の排水口に取り付けると、排水の多くは蓋体１０の凹部１０Ａに集中し、中央孔部１０Ｂを介して排水管に流出する。しかし、一部の排水Ｒは蓋体１０の流入孔部１０Ｃを介して、カートリッジ体２０の排水処理機能部２０Ｍに流入する。
【００２９】
図５は排水処理機能部２０Ｍ内に流れ込んだ排水Ｒの説明図であり、蓋体１０の流入孔部１０Ｃ及び排水流入口２０Ｆを介して流れ込んだ排水Ｒは、一旦は水受部２０Ｉに当たって拡散する。そして、水受部２０Ｉからの大半の排水Ｒは水落口２０Ｌを通って抵抗なく排水管に流れ落ちる。しかし、仕切壁２０Ｄ方向に拡散した排水Ｒ１は、稍々抵抗を受けながら排水導入口２０Ｅから薬剤収納部２０Ｃに導入される。
【００３０】
排水導入口２０Ｅに導入された排水Ｒ１により、薬剤収納部２０Ｃ内に配列された錠剤Ｐは入口側の錠剤Ｐからその下側が徐々に溶解していく。溶解液は各薬剤収納部２０Ｃの底面中央にある排水流出孔２０Ｋから排水管に流下し、排水管内の微生物の発育を抑制する。
【００３１】
粒子状の土を多く含む排水Ｒを流した場合は、排水処理機能部２０Ｍに排水Ｒが流れ込むものの、殆どの粒子状の土は水受部２０Ｉから水落口２０Ｌを経て排水管に流れ落ちる。粒子状の土は薬剤収納部２０Ｃ内に入り込むことが少ないので、錠剤Ｐに土が付着したり、排水導入口２０Ｅや排水流出孔２０Ｋを詰まらせたりすることは少ない。
【００３２】
また、排水導入口２０Ｅの変形例として、図６に示すように排水導入口２０Ｅを仕切壁２０Ｄの底辺との間に段部２０Ｎを設けて配置してもよい。このような構成とすることにより、水受部２０Ｉに衝突した排水から微細な土は段部２０Ｎを越えて排水導入口２０Ｅに流入することが少なくなり、土が薬剤収納部２０Ｃに入り込むことは更に少なくなる。
【００３３】
また、水を大量に使用した場合であっても、排水導入口２０Ｅに導入された排水Ｒ１は、従来技術の排水流入口１Ａに進入する排水Ｒに比べて抑制されるので、錠剤Ｐが溶け過ぎることもない。同様に、温かい排水Ｒを流した場合も排水Ｒ１は流入孔部１０Ｃから流入した排水Ｒに対して抑制されるので、錠剤Ｐが溶け過ぎることも少ない。
【００３４】
また、薬剤収納部２０Ｃの排水導入口２０Ｅと排水流出孔２０Ｋは距離を隔てた構造とされており、排水導入口２０Ｅから導入された排水Ｒ１は、錠剤Ｐをその下側から徐々に平均的に溶解する。従って、薬剤は使用可能期間に渡って平均的に溶解し、薬剤が残り少なくなっても十分に効果のある溶液を排水流出孔２０Ｋから流下させることができる。
【００３５】
図７はぬめり取り器の変形例の分解斜視図であり、ゴム製の蓋体１０’の下部に、実施例と同様のカートリッジ体２０が取り付けられている。菊割れ状の切り込み１０Ｉを有する蓋体１０’は、外周部には円環部１０Ｆを備え、この円環部１０Ｆの内側に平面部１０Ｇを備えている。平面部１０Ｇには中心の中央孔部１０Ｂ’と、この中央孔部１０Ｂ’に周囲に配置された複数個の周辺孔部１０Ｈと、外周円部に沿った複数の流入孔部１０Ｃ’とが設けられ、中央孔部１０Ｂ’と周辺孔部１０Ｈが切り込み１０Ｉにより繋がっている。
【００３６】
カートリッジ体２０は実施例と同じものを利用し、カートリッジ体２０の排水処理機能部２０Ｍが蓋体１０’の流入孔部１０Ｃ’の下方に位置するように、蓋体１０’とカートリッジ体２０とを組合わせて使用する。その作用効果については先の実施例と同様である。
【符号の説明】
【００３７】
１０、１０’  蓋体
１０Ａ  凹部
１０Ｂ、１０Ｂ’  中央孔部
１０Ｃ、１０Ｃ’   流入孔部
１０Ｄ  環状溝
１０Ｅ  嵌合爪
１０Ｆ  円環部
１０Ｇ  平面部
１０Ｈ  周辺孔部
２０  カートリッジ体
２０Ａ  本体
２０Ｂ  底部カバー
２０Ｃ  薬剤収納部
２０Ｄ  仕切壁
２０Ｅ  排水導入口
２０Ｆ、２０Ｆ’  排水流入口
２０Ｇ  嵌合用凸部
２０Ｈ  係止爪
２０Ｉ  水受部
２０Ｊ  嵌合用凹部
２０Ｋ  排水流出孔
２０Ｌ  水落口
２０Ｍ  排水処理機能部
２０Ｎ  段部
【図１】
2014206005.tif 000003
【図２】
2014206005.tif 000004
【図３】
2014206005.tif 000005
【図４】
2014206005.tif 000006
【図５】
2014206005.tif 000007
【図６】
2014206005.tif 000008
【図７】
2014206005.tif 000009
【図８】
2014206005.tif 000010